(57)【要約】【課題】  高音の打球音が減衰しやすいゴルフクラブヘッドおよび該ヘッドを備えたゴルフクラブを提供する。【解決手段】  アイアンゴルフクラブヘッド１は、フェイス部４における打球部４０の厚み（ｔ１）が１．５ｍｍ以上３．０ｍｍ以下のアイアンゴルフクラブヘッドであって、打球部４０の裏面に、厚み（ｔ）の最大値が２．６ｍｍ以上１０ｍｍ以下である樹脂バッジ３が取り付けられている。打球部４０の裏面には、台座４Ａが形成されており、台座４Ａの形状にあわせた形状の樹脂バッジ３が装着される。本構成は、ウッドヘッドにも適用可能である。【選択図】        図３
2005137634.tif 000002
【特許請求の範囲】
【請求項１】
フェイス部における打球部の厚みが１．５ｍｍ以上３．０ｍｍ以下のゴルフクラブヘッドであって、
前記打球部の裏面に、厚みの最大値が２．６ｍｍ以上１０ｍｍ以下である少なくとも１枚の樹脂プレートを取り付けたゴルフクラブヘッド。
【請求項２】
前記打球部の裏面に、前記樹脂プレートの形状に合わせて台座を形成した、請求項１に記載のゴルフクラブヘッド。
【請求項３】
前記樹脂プレートに溝部を設けた、請求項１または請求項２に記載のゴルフクラブヘッド。
【請求項４】
前記溝部は、前記フェイス部の長手方向に直行する方向に伸びるように形成された、請求項３に記載のゴルフクラブヘッド。
【請求項５】
前記樹脂プレートの面積は、前記フェイス部裏面の面積の２５パーセント以上１００パーセント以下である、請求項１から請求項４のいずれかに記載のゴルフクラブヘッド。
【請求項６】
請求項１から請求項５のいずれかに記載のゴルフクラブヘッドを備えたゴルフクラブ。
【発明の詳細な説明】
【技術分野】
【０００１】
本発明は、ゴルフクラブヘッドおよびゴルフクラブに関する。
【背景技術】
【０００２】
ゴルフクラブヘッドにおいて、打球部を有するフェイス部の厚みを薄くする（たとえば３．０ｍｍ以下程度にする）ことが従来から行なわれている。
【０００３】
フェイス部を薄肉にすることにより、打球時にフェイス部がたわみやすくなる。これにより、反発係数が向上し、飛距離が伸びるという効果がある。
【０００４】
また、従来から、たとえばアイアンゴルフクラブヘッドのフェイス部の裏面に樹脂プレートを装着したものがある。
【特許文献１】特開平９−２７６４５５号公報
【特許文献２】特許第２６６１７９６号公報
【発明の開示】
【発明が解決しようとする課題】
【０００５】
しかしながら、上記のようなゴルフクラブヘッドにおいては、以下のような問題があった。
【０００６】
フェイス部を薄肉にした場合、一般的に、打球音が大きくなり、かつ減衰しにくくなるという傾向にある。これにより、ゴルファの打感に悪影響を及ぼす場合がある。これに対し、フェイス部に減衰手段を設けることが考えられる。しかしながら、従来のアイアンゴルフクラブヘッドのフェイス部の裏面に設けられた樹脂プレートは薄肉のものであり、これでは、減衰手段として十分に機能することができない。
【０００７】
ところで、特開平９−２７６４５５号公報においては、ボールをヒットするフェイス面の下端からバック面側に亘ってソールが形成されるともに、バック面の周囲に設けられたリブに囲まれて中央部に窪みが形成され、フェイス面の裏側で窪みの底となる個所にマグネシウム基合金のプレート状体を設けたアイアンゴルフクラブヘッドが開示されている。
【０００８】
しかしながら、マグネシウムは剛性が大きく、プレートの肉厚に関わらず、打球時のフェイス部のたわみにプレートが追随できず、繰り返しの打球によりはがれやすくなる。
【０００９】
また、特許第２６６１７９６号公報においては、前面に位置するストライクフェイスと、該フェイスの底部から後方側に広がるソールと、該フェイスの反対側に位置する背面と、少なくとも背面に設置されるとともに、粘弾性板を介して背面に結合された硬い板を備える消振手段とを具備し、硬い板は、１００００ＭＰａより大きいヤング率と０．５ｍｍから２．０ｍｍの厚さとを有しており、消振手段は、その周縁部を非拘束状態として設けられているゴルフクラブヘッドが開示されている。
【００１０】
しかしながら、この消振手段は、粘弾性板と硬い板とが協働することによって消振を行なうものであり、樹脂プレートによって打球音を減衰させる本発明とは、前提および構成が異なる。
【００１１】
本発明は、上記のような問題に鑑みてなされたものであり、本発明の目的は、打球音が減衰しやすいゴルフクラブヘッドおよび該ヘッドを備えたゴルフクラブを提供することにある。
【課題を解決するための手段】
【００１２】
本発明に係るゴルフクラブヘッドは、フェイス部における打球部の厚みが１．５ｍｍ以上３．０ｍｍ以下のゴルフクラブヘッドであって、打球部の裏面に、厚みの最大値が２．６ｍｍ以上１０ｍｍ以下である少なくとも１枚の樹脂プレートが取り付けられている。
【００１３】
これにより、打感に悪影響を及ぼす打球音を減衰させやすくすることができる。
【００１４】
ここで、打球部とはフェイス部の一部分であって、スイートスポットおよびその周辺の領域を意味する。換言すると、打球部は、フェイス部における打球することが予定されている領域である。
【００１５】
打球部の裏面に、前記樹脂プレートの形状に合わせて台座を形成することが好ましい。
【００１６】
これにより、上記の樹脂プレートを所定の位置に容易に取り付けることができる。
【００１７】
また、樹脂プレートに溝部を設けることが好ましい。
【００１８】
溝部を設けることにより、樹脂プレートが打球時のフェイス部のたわみに追随しやすくなる。この結果、繰り返しの打球による、樹脂プレートのはがれを抑制することができる。
【００１９】
溝部は、樹脂プレートの長手方向に直行する方向に伸びるように形成されることが好ましい。
【００２０】
上記の方向に溝部を形成することで、樹脂プレートの長手方向断面の剛性を低減することができるので、樹脂プレートの長手方向端部において、樹脂プレートをフェイス部から剥そうとする力を小さくすることができる。
【００２１】
樹脂プレートの面積は、フェイス部裏面の面積の２５パーセント以上１００パーセント以下であることが好ましい。
【００２２】
ここで、樹脂プレートの面積とは、その樹脂プレートがフェイス部裏面に固着される接合面積を意味する。
【００２３】
これにより、上述した打球音の減衰効果を、より十分に得ることができる。
【００２４】
本発明に係るゴルフクラブは、上記のゴルフクラブヘッドを備える。
【００２５】
上述の通り、本発明に係るゴルフクラブヘッドにおいては、打球音が減衰しやすい。したがって、該ゴルフクラブヘッドを備えることで、打感に優れたゴルフクラブを得ることができる。
【発明の効果】
【００２６】
本発明によれば、ゴルフクラブヘッドにおいて、打球音を減衰させやすくすることができる。
【発明を実施するための最良の形態】
【００２７】
以下に、本発明に基づくゴルフクラブヘッドおよびゴルフクラブの実施の形態について説明する。
【００２８】
本実施の形態に係るゴルフクラブヘッドは、フェイス部における打球部の厚みが１．５ｍｍ以上３．０ｍｍ以下程度（より好ましくは、１．８ｍｍ以上２．７ｍｍ以下程度、さらに好ましくは、２．０ｍｍ以上２．５ｍｍ以下程度）のゴルフクラブヘッドであって、打球部の裏面に、厚みの最大値が２．６ｍｍ以上１０ｍｍ以下程度（より好ましくは、２．８ｍｍ以上５．０ｍｍ以下程度、さらに好ましくは、３．０ｍｍ以上４．０ｍｍ以下程度）である樹脂バッジ（樹脂プレート）が取り付けられている。
【００２９】
打球時のフェイス部のたわみを大きくして反発特性を高くするためには、フェイス部は薄い方がよく、打球時の繰り返し荷重に対する耐久性を確保するためには、フェイス部は厚い方がよい。フェイス部の厚みを上記の範囲とすることで、これらの要請の双方とも満足させることができる。フェイス部の厚みは、そのフェイス部に用いられる材料に応じて、上記の範囲内で変更される。
【００３０】
なお、上記のゴルフクラブヘッドは、典型的には、アイアンゴルフクラブヘッドであるが、これはウッドヘッドであってもよい。また、アイアンゴルフクラブヘッドは、典型的には、フェイス部の裏面側にキャビティを有するものであるが、これ以外のものであってもよい。
【００３１】
ところで、打球時に発生する大きな打球音は、ゴルファの打球感に悪影響を及ぼす場合がある。一般にフェイス部の厚みを薄くするほど、打球時のフェイス部の振幅が大きくなるため、打球音が大きくなり振動も長く続くので、上記の影響が大きくなる。
【００３２】
これに対し、本実施の形態に係るゴルフクラブヘッドにおいては、フェイス部における打球部の裏面に、樹脂プレートを取り付けている。樹脂プレートは、打球時に生じたフェイス部の振動を減衰させやすくする。具体的には、樹脂プレートを取り付けることにより、打球音を発生させる振動の損失係数を大きくすることができるので、打球音を減衰させる時間が短くなり、打球感が改善される。
【００３３】
ここで、打球音に影響するヘッドの固有振動数の測定方法について説明する。図１６にヘッド部１０１（フェイス部）の固有振動数測定装置の概略図を示し、図１７にそのブロック図を示す。また、表１に、この実験に用いた測定装置を記す。
【００３４】
【表１】
2005137634.tif 000003
【００３５】
図１６および図１７に示すように、ヘッド部１０１を振動発生機１０８のインピーダンスヘッド１０９上に載置し、振動発生機１０８によりヘッド部１０１を振動させる。そして、インピーダンスヘッド１０９から力ピックアップ信号および加速度ピックアップ信号がメカニカルインピーダンス測定用アンプ１１０に入力され、このメカニカルインピーダンス測定用アンプ１１０からの信号が騒音・振動解析器１１１に入力される。
【００３６】
騒音・振動解析器１１１からのデータがコンピュータシステム１１２に入力され、固有振動数が得られる。なお、騒音・振動解析器１１１は、電力増幅器１１３に接続され、この電力増幅器１１３により所定の電力が振動発生機１０８に与えられる。
【００３７】
打球時のフェイス部の振幅は、打球部において最も大きくなるため、樹脂プレートは打球部の裏面に設置される。なお、樹脂プレートは、フェイス部における打球部内にのみ取付けられてもよいし、打球部内外にわたって取付けられてもよい。
【００３８】
上記の減衰効果は、樹脂プレートをある程度厚くすることにより確保される一方、ある程度の厚み以下程度で十分に得られるため、樹脂プレートを極端に厚くすることは、耐久性などの観点から好ましくない。樹脂プレートが厚すぎると、たとえばアイアンゴルフクラブヘッドのキャビティから樹脂プレートが突出することで、使用時に傷などがつきやすくなるなどの問題が生じるからである。本実施の形態においては、樹脂プレートの厚みを上記の範囲とすることで、耐久性低下の問題などを抑制しながら、上述した大きな打球音の減衰効果を得ることができる。
【００３９】
上記樹脂プレートの厚みは、典型的には、その中央部において最も大きく、中央部から周縁部に向かって小さくなるように形成されるが、上記と同様の効果を奏する限り、樹脂プレート全面にわたり同じ厚みとなるように形成してもよいし、中央部が薄く周縁部が厚くなるように形成してもよい。
【００４０】
樹脂プレートの材質としては、典型的には、ＡＢＳ（Ａｃｒｙｌｏｎｉｔｒｉｌｅ  Ｂｕｔａｄｉｅｎｅ  Ｓｔｙｒｅｎｅ）樹脂が用いられるが、その他の樹脂材料を用いてもよい。具体的には、たとえばＡＢＳ樹脂と、ＰＣ（Ｐｏｌｙｃａｒｂｏｎａｔｅ）樹脂、ＰＢＴ（Ｐｏｌｙｂｕｔｙｌｅｎｅ  Ｔｅｒｅｐｈｔｈａｌａｔｅ）樹脂、ＰＡ（Ｐｏｌｙａｍｉｄｅ）樹脂などとを混ぜあわせてポリマーアロイ化したものなどが使用可能である。
【００４１】
上記のような材料を使用することで、コストアップを抑制することができる。また、これらの樹脂材料は、加工が容易であり、金属のように錆びるという問題も生じない。
【００４２】
樹脂プレートは、典型的には、ゴルフクラブヘッドをアドレスした際に、水平方向の長さが鉛直方向の長さよりも長くなる形状（横長形状）とされるが、これは縦長形状であってもよい。また、その形状としては、円形状、楕円形状、多角形形状や、これらを組み合わせた形状など、任意の形状が適用可能である。
【００４３】
樹脂プレートは、典型的には、両面テープを介してフェイス部裏面に取り付けられる。なお、両面テープの代わりに、たとえば接着剤などを用いて取り付けてもよい。
【００４４】
ここで、打球部の裏面に、樹脂プレートの形状に合わせて台座を形成することが好ましい。台座の形状は、典型的には、樹脂プレートの形状に一致するが、台座が樹脂プレートの周縁よりも若干突出する場合や、樹脂プレートが台座の周縁よりも若干突出する場合があってもよい。これらの場合も、台座の形状は、樹脂プレートの形状に合わせて形成されていると解釈されるべきである。
【００４５】
また、上述したとおり、樹脂プレートは、打球部内にのみ設置されてもよいし、打球部内外にわたって設置されてもよいので、樹脂プレートの形状に合わせて形成される台座についても、打球部内にのみ延在する場合と、打球部内外にわたって延在する場合とがある。
【００４６】
台座は、典型的には、フェイス部と一体で形成されるが、該台座をフェイス部と別体で形成してもよい。
【００４７】
上記の台座を形成することにより、ゴルフクラブヘッドの製造時に、樹脂プレートを所定の位置に容易に取り付けることができる。この結果、打球音の減衰効果を安定して確保できるゴルフクラブヘッドを得ることができる。
【００４８】
なお、上記の台座を形成せず、平坦に形成されたフェイス部裏面に樹脂プレートを装着する構造としてもよい。
【００４９】
ところで、打球時には、フェイス部のたわみに応じて、樹脂プレートが変形する。ここで、樹脂プレートが変形しにくい場合、該樹脂プレートの周縁部において、樹脂プレートをフェイス部裏面から剥そうとする力が作用することになる。したがって、樹脂プレートが厚く、その曲げ剛性が大きい場合は、繰り返しの打球により、樹脂プレートが剥れやすくなる場合がある。
【００５０】
これに対し、本実施の形態においては、樹脂プレートに溝部を設ける。これにより、樹脂プレートをフェイス部のたわみに応じて変形させやすくすることができる。この結果、繰り返しの打球による樹脂プレートの剥れを抑制することができる。
【００５１】
溝部は、典型的には、樹脂プレートの裏面（フェイス部裏面と張り合わされる側の面）側に形成されるが、樹脂プレートの表面側に形成されてもよい。
【００５２】
溝部の伸びる方向としては、任意の方向を選択可能であり、異なる方向に伸びる溝部を１枚の樹脂プレート上で併用してもよい。また、溝部は略直線状に伸びるように形成してもよいし、曲線状に伸びる部分を含むように形成してもよい。また、溝部は、樹脂プレートの中央部または周縁部のみに設けてもよいし、中央部および周縁部の両方に伸びるように設けてもよい。また、分割された複数の樹脂プレートを適宜配置する構成としてもよい。この場合も、溝部を設けるのと同様の効果を奏する。
【００５３】
１枚の樹脂プレート上に複数の溝部を形成する場合、典型的には、各々の溝部の幅が均等になるように形成するが、異なる幅の溝部を混在させてもよい。また、溝部の深さは任意に変更可能である。
【００５４】
上述した、樹脂プレートをフェイス部裏面から剥そうとする力は、樹脂プレートの長手方向の端部において最も大きくなる。
【００５５】
したがって、好ましくは、溝部は、樹脂プレートの長手方向に直行する方向に伸びるように形成される。これにより、樹脂プレートの長手方向断面の曲げ剛性を低減することができるので、樹脂プレートの長手方向端部において、樹脂プレートをフェイス部から剥そうとする力を小さくすることができる。この結果、繰り返しの打球による樹脂プレートのフェイス裏面からの剥れを抑制することができる。
【００５６】
上述したより好ましい形態において、溝部は、典型的には、樹脂プレートの長手方向に直行する方向に伸びるが、この方向は、樹脂プレートの長手方向にほぼ直行する方向であっても、同様の効果を奏すると考えられる。
【００５７】
樹脂プレートがフェイス部裏面と固着される接合面積は、フェイス部裏面の面積の２５パーセント以上１００パーセント以下程度（より好ましくは、３０パーセント以上８０パーセント以下程度、さらに好ましくは、４０パーセント以上７０パーセント以下程度）であることが好ましい。
【００５８】
樹脂プレートの面積が極端に小さいと、上述した減衰効果が十分に得られない場合がある。これに対し、フェイス部裏面の面積に対する樹脂プレートの面積を上記の範囲とすることで、打球音を発生させる振動を、効率よく減衰させることができる。この結果、打感をよくする効果を、より十分に確保することができる。なお、フェイス部裏面の面積に対する樹脂プレートの面積の割合がある一定値以上であれば、上記の効果は十分に確保できる。
【００５９】
本実施の形態に係るゴルフクラブは、上記のゴルフクラブヘッドを備える。
【００６０】
上述の通り、本実施の形態に係るゴルフクラブヘッドにおいては、打球音が減衰しやすい。したがって、このゴルフクラブヘッドを備えることで、打感に優れたゴルフクラブを得ることができる。
【実施例１】
【００６１】
図１は、フェイス部の厚みの異なる２つのアイアンゴルフクラブヘッド（サンプル１およびサンプル２）について、打球時のフェイス部の歪み量を比較したものを示す図である。なお、サンプル１，２のフェイス部の大きさは、ほぼ同じである。
【００６２】
ここで、サンプル１は、打球部におけるフェイス部の厚みが２．３ｍｍ（周縁部の厚みが２．０ｍｍ）であり、サンプル２は、打球部におけるフェイス部の厚みが２．８ｍｍ（周縁部の厚みが２．３ｍｍ）である。
【００６３】
サンプル１とサンプル２とを比較すると、サンプル１は、サンプル２に比べて打球時のフェイス部の歪み量が大きい（図１においては、約２．４倍）ことが分かる。
【００６４】
ここで、サンプル１の反発係数（ＣＯＲ；Ｃｏｅｆｆｃｉｅｎｔ  Ｏｆ  Ｒｅｓｔｉｔｕｔｉｏｎ）は０．７８７であり、サンプル２の反発係数は０．７７０であった。したがって、薄肉タイプのフェイス部の方が飛距離が伸びることが分かる。
【００６５】
図２は、実施例１に係るアイアンゴルフクラブヘッドをフェイス裏面側から見た状態を示す図である。
【００６６】
図２に示すように、アイアンゴルフクラブヘッド１は、フェイス部の裏面側に形成されるキャビティ部２内に、樹脂バッジ３（樹脂プレート）を備えている。樹脂バッジ３は、キャビティ部２の形状に対応して、トウ−ヒール方向に延在している。
【００６７】
図３は、アイアンゴルフクラブヘッド１のトウ−ヒール方向の断面（図２中のIII−III断面）を示す図である。
【００６８】
図３に示すように、アイアンゴルフクラブヘッド１は、キャビティ部２を有するアイアンゴルフクラブヘッドであって、フェイス部４と突壁部８との間に溝部６を有している。なお、フェイス部４は、中央部に打球部４０と、中央部に対してソール部５側にソール側部５Ａと、中央部に対してトップエッジ７側にトップエッジ側部７Ａとを有する。
【００６９】
フェイス部４は、その裏面（打球面と反対側の面）において、打球部４０を含む領域に台座４Ａを有する。台座４Ａ上には、その形状に合わせて樹脂バッジ３が取り付けられる。なお、樹脂バッジ３は、両面テープを用いて、その全面が台座４Ａと接合するように、台座４Ａに取付けられる。
【００７０】
なお、台座４Ａを含む打球部４０の厚さ（図３中のｔ１）は約２．３ｍｍであり、ソール側部５とトップエッジ側部７の厚さ（図３中のｔ２）は約２．０ｍｍである。また、樹脂バッジ３の中央部の厚さ（図３中のｔ）は、約３．５ｍｍである。
【００７１】
図４は、樹脂バッジ３を表面（フェイス部４と張り合わせる側の反対側の面）側からみた状態を示す図である。
【００７２】
図４に示すように、樹脂バッジ３は、直線と曲線とを組み合わせた形状を有し、その表面には、たとえばロゴマークなどの模様３Ａが表されている。この樹脂バッジ３としては、ＡＢＳ樹脂の表面にめっき処理を施したものが用いられる。
【００７３】
図５は、樹脂バッジ３を裏面側からみた状態を示す図である。
【００７４】
図５に示すように、樹脂バッジ３の裏面には、樹脂バッジ３の長手方向に直行する方向に溝部９（９Ａ、９Ｂ、９Ｃ）が形成されている。また、同じく樹脂バッジ３の裏面には、凸部１０が形成されている。なお、台座４Ａには、凸部１０に対応する凹部が設けられる。これにより、樹脂バッジ３と台座４Ａとの位置合わせが容易になる。
【００７５】
なお、樹脂バッジ３の長手方向の長さ（図５中のＬ）は約５５．６ｍｍであり、溝部９Ａ、９Ｂ、９Ｃの長さ（図５中のｈ１，ｈ２，ｈ３）はそれぞれ約２０．３ｍｍ，約２０．７ｍｍ，約１８．５ｍｍである。また、溝部９Ａ，９Ｂ，９Ｃの幅（図５中のＢ）は約１ｍｍであり、それらは、約７ｍｍの間隔（図５中のＬ１）で形成されている。さらに、溝部９Ａ，９Ｂ，９Ｃの縁端から樹脂バッジ３の周縁までの距離（図５中のＨ）は約１ｍｍである。これらの値については、適宜変更が可能である。
【００７６】
溝部９の深さは、溝形成部の樹脂バッジ３の残り厚さが約０．８ｍｍとなるように設定されている。すなわち、たとえば厚さ約３．５ｍｍの樹脂バッジであれば、溝部９の深さは約２．７ｍｍ（３．５−０．８＝２．７ｍｍ）となる。
【００７７】
図６は、樹脂バッジの取付けの有無と損失係数との関係を示した図である。図６においては、樹脂バッジを取付けないサンプル（バッジなし）と、最大厚さが約３．５ｍｍである樹脂バッジを取付けたサンプル（厚い樹脂バッジ）と、最大厚さが約１．８ｍｍである樹脂バッジを取付けたサンプル（薄い樹脂バッジ）とを用いて実験した結果を示す。なお、いずれのサンプルにおいても、ヘッドの固有振動数は約１２７５Ｈｚである。したがって、打球音の振動数も約１２７５Ｈｚのものが支配的となる。
【００７８】
図６に示すように、樹脂バッジを取付けない場合と比較して、樹脂バッジを取付けた場合は、上記の損失係数が大きくなる。したがって、樹脂バッジを取付けることで、打球音が減衰しやすくなり、薄い樹脂バッジであっても、わずかに打感がよくなることが分かる。
【００７９】
また、薄い樹脂バッジを取付けた場合と比較して、厚い樹脂バッジを取付けた場合は、損失係数はさらに大きくなる。ここで、樹脂バッジ３の最大厚さが２．６ｍｍ以上１０ｍｍ以下程度であれば、損失係数が約０．０１１以上となり、打球音を減衰させ、打感を向上させる効果を十分に得ることができることを確認している。なお、この最大厚さについては、より好ましくは、２．８ｍｍ以上５．０ｍｍ以下程度、さらに好ましくは、３．０ｍｍ以上４．０ｍｍ以下程度である。
【００８０】
本実施例においては、アイアンゴルフクラブヘッド１のフェイス部裏面の面積（キャビティ面積）が約１９５０ｍｍ２であるのに対し、該フェイス部裏面に投影される樹脂バッジ３の面積は約９４０ｍｍ２である。したがって、フェイス部裏面の面積に対する樹脂バッジ３の面積の割合は、約４８．２パーセントである。なお、たとえば最大厚さが約３．５ｍｍの樹脂バッジを用いた場合、上記の割合が２５パーセント以上１００パーセント以下程度（より好ましくは、３０パーセント以上８０パーセント以下程度、さらに好ましくは、４０パーセント以上７０パーセント以下程度）であれば、上記と同様に十分な損失係数を確保し、打感を向上させる効果が得られることを確認している。なお、樹脂バッジ厚が２．６ｍｍ以上程度であれば、厚みが約３．５ｍｍの場合と同程度の損失係数を確保できることから、その他の厚みの樹脂バッジについても、同程度の面積で同様の効果を奏するものと考えられる。
【００８１】
図７は、樹脂バッジ３に一定の曲げモーメントを作用させた場合における、樹脂バッジ厚と、樹脂バッジ中央部のたわみ量との関係を示した図である。
【００８２】
図７に示すように、樹脂プレート厚が大きくなるほど、同じ力を作用させた場合でも該プレートのたわみ量は小さくなる。したがって、繰り返しの打球により、樹脂プレート３が台座４Ａから剥れやすくなる場合がある。
【００８３】
これに対し、本実施例においては、図５に示すように、樹脂バッジ３の裏面に溝部９を設け、該バッジの曲げ剛性を低減させて変形させやすくしている。
【００８４】
図８から図１２は、溝部９の設置形態に関する変形例である。
【００８５】
図８に示すように、樹脂バッジ３の幅方向（図８中の上下方向）に伸びる溝部９を、図５（３本）より多く（７本）設置してもよいし、図９に示すように、幅方向に伸びる溝部９の位置を、図５に示す位置からシフトさせてもよい。また、図１０に示すように、溝部９を十字にクロスするように設けてもよいし、図１１に示すように、溝部９を放射状に設けてもよい。また、図１２に示すように、幅の異なる溝部９を混在させてもよい。また、図８から図１２に示す特徴部分を組み合わせた配置としてもよい。
【実施例２】
【００８６】
図１３は、実施例２に係るアイアンゴルフクラブヘッド１のトウ−ヒール方向の断面を示す図である。
【００８７】
本実施例に係るアイアンゴルフクラブヘッドは、実施例１に係るアイアンゴルフクラブヘッドの変形例であり、図１３に示すように、溝部６の形状に関して実施例１と異なる。
【００８８】
本実施例においても、上述した効果と同様の減衰効果を得ることができる。すなわち、アイアンゴルフクラブヘッドにおいては、キャビティ部の構造に関わらず、樹脂プレート３の設置により、打感を向上させる効果を得ることができる。
【００８９】
なお、その他の事項に関しては、上述した実施例１と同様であるので、ここでは説明を省略する。
【実施例３】
【００９０】
図１４は、実施例３に係るウッドヘッド１１を示した斜視図である。
【００９１】
本実施例に係るウッドヘッド１１は、図１４に示すように、ヒール部１２と、フェイス部１３と、ソール部１４と、トウ部１５と、クラウン部１６と、バック部１７とを有し、シャフト１８に連結されている。
【００９２】
図１５は、ウッドヘッド１１のトウ−ヒール方向の断面（図１４中のＸＶ−ＸＶ断面）を示す図である。
【００９３】
図１５に示すように、フェイス部１３の裏面（打球面と反対側の面）には台座１３Ａが設けられ、台座１３Ａ上に樹脂バッジ３が装着される。なお、樹脂バッジ３の装着方法としては、たとえば以下のような方法が考えられる。まず、フェイス部を除くウッドヘッド１１を鋳造により形成するとともに、フェイス部を鍛造により形成する。その後、フェイス部に樹脂バッジ３を装着し、そのフェイス部を、溶接などによりウッドヘッド１１に装着する。
【００９４】
本実施例においても、上述した効果と同様の減衰効果を得ることができる。すなわち、樹脂バッジによる打感の向上は、ウッドヘッドにおいても得ることができる。
【００９５】
なお、その他の事項に関しては、上述した実施例１と同様であるので、ここでは説明を省略する。
【００９６】
以上、本発明の実施の形態および実施例について説明したが、上述した各実施例の特徴部分を適宜組み合わせることは当初から予定されている。また、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００９７】
【図１】フェイス部の厚みの異なるアイアンゴルフクラブヘッドについて、打球時のフェイス部のたわみ量を比較したものを示す図である。
【図２】本発明の実施例１に係るアイアンゴルフクラブヘッドをフェイス裏面側から見た状態を示す図である。
【図３】図２中のIII−III断面を示す図である。
【図４】本発明の実施例１に係るアイアンゴルフクラブヘッドに取付けられる樹脂バッジを表面側からみた状態を示す図である。
【図５】本発明の実施例１に係るアイアンゴルフクラブヘッドに取付けられる樹脂バッジを裏面側からみた状態を示す図である。
【図６】樹脂バッジの取付けの有無と、打球音の損失係数との関係を示した図である。
【図７】樹脂バッジに一定の曲げモーメントを作用させた場合における、樹脂バッジ厚と、樹脂バッジ中央部のたわみ量との関係を示した図である。
【図８】樹脂バッジに形成される溝部の設置形態に関する変形例を示す図である。
【図９】樹脂バッジに形成される溝部の設置形態に関する他の変形例を示す図である。
【図１０】樹脂バッジに形成される溝部の設置形態に関するさらに他の変形例を示す図である。
【図１１】樹脂バッジに形成される溝部の設置形態に関するさらに他の変形例を示す図である。
【図１２】樹脂バッジに形成される溝部の設置形態に関するさらに他の変形例を示す図である。
【図１３】本発明の実施例２に係るアイアンゴルフクラブヘッドのトウ−ヒール方向の断面を示す図である。
【図１４】本発明の実施例３に係るウッドヘッドを示した斜視図である。
【図１５】図１４中のＸＶ−ＸＶ断面を示す図である。
【図１６】固有振動数測定装置の概略図である。
【図１７】固有振動数測定装置のブロック図である。
【符号の説明】
【００９８】
１  アイアンゴルフクラブヘッド、２  キャビティ部、３  樹脂バッジ、３Ａ  模様、４，１３  フェイス部、４Ａ，１３Ａ  台座、５  ソール部、５Ａ  ソール側部、６  溝部、７  トップエッジ部、７Ａ  トップエッジ側部、８  突壁部、９  溝部、１０  凸部、１１  ウッドヘッド、１２  ヒール部、１４  ソール部、１５  トウ部、１６  クラウン部、１７  バック部、１８  シャフト、４０  打球部、１０１  ヘッド部、１０８  振動発生機、１０９  インピーダンスヘッド、１１０  メカニカルインピーダンス測定用アンプ、１１１  騒音・振動解析器、１１２  コンピュータシステム、１１３  電力増幅器。
【図１】
2005137634.tif 000004
【図２】
2005137634.tif 000005
【図３】
2005137634.tif 000006
【図４】
2005137634.tif 000007
【図５】
2005137634.tif 000008
【図６】
2005137634.tif 000009
【図７】
2005137634.tif 000010
【図８】
2005137634.tif 000011
【図９】
2005137634.tif 000012
【図１０】
2005137634.tif 000013
【図１１】
2005137634.tif 000014
【図１２】
2005137634.tif 000015
【図１３】
2005137634.tif 000016
【図１４】
2005137634.tif 000017
【図１５】
2005137634.tif 000018
【図１６】
2005137634.tif 000019
【図１７】
2005137634.tif 000020